(57)【要約】【課題】単票を逆方向に搬送する場合に、一旦収納部に収納された単票を再び搬送路に引き戻すことのない単票処理装置を提案する。【解決手段】縦置き状態の単票２２を正逆方向に搬送するとともに、単票２２を収納部２８に送り込む単票搬送装置９０であって、円柱状の支持軸７２と、前記支持軸７２に軸支され、正逆方向に回転可能な紙送りローラー７４と、前記支持軸７２に軸支され、正方向にのみ回転可能な、外周面に軸方向に延在する送り込み用突起８０が形成された送り込みローラー７８と、紙送りローラー７４と送り込みローラー７８との間に配置され、前記紙送りローラー７４が正方向に回転する場合のみに、前記紙送りローラー７４の駆動力を前記送り込みローラー７８に伝達する動力伝達部７６と、を有する。【選択図】図３
2014031236.tif 000002
【特許請求の範囲】
【請求項１】
縦置き状態の単票を正逆方向に搬送するとともに、単票を収納部に送り込む単票搬送装置であって、
円柱状の支持軸と、
前記支持軸に軸支され、正逆方向に回転可能な紙送りローラーと、
前記支持軸に軸支され、正方向にのみ回転可能な、外周面に軸方向に延在する送り込み用突起が形成された送り込みローラーと、
前記紙送りローラーと前記送り込みローラーとの間に配置され、前記紙送りローラーが正方向に回転する場合のみに、前記紙送りローラーの駆動力を前記送り込みローラーに伝達する動力伝達部と、を有することを特徴とする単票搬送装置。
【請求項２】
前記動力伝達部は、
前記紙送りローラー側に前記紙送りローラーから駆動力を受ける係合部と、
前記送り込みローラー側に前記送り込みローラーへ駆動力の伝達および遮断を行うラチェット部と、
前記動力伝達部を前記送り込みローラー方向へ付勢する弾性部と、を有し、
前記紙送りローラーの正方向の回転時には、前記ラチェット部は、前記送り込みローラーの前記動力伝達部側のラチェット係合部に係合し駆動力を伝達し、
前記紙送りローラーの逆方向の回転時には、前記ラチェット部は、前記送り込みローラーの前記動力伝達部側のラチェット係合部を乗り越え空転し駆動力を遮断することを特徴とする請求項１に記載の単票搬送装置。
【請求項３】
前記送り込み用突起は、
前記紙送りローラーの外周面より外に突出して形成されていることを特徴とする請求項１または２に記載の単票搬送装置。
【発明の詳細な説明】
【技術分野】
【０００１】
本発明は、単票処理装置に用いられる単票搬送装置に関する。
【背景技術】
【０００２】
単票を処理するための単票処理装置としては小切手類を処理するための小切手処理装置が知られている。小切手処理装置は、小切手類を挿入する供給部と、経路上にイメージスキャナーおよび磁気ヘッド等の読み取り・書き込み手段が設けられた搬送路と、読み取り・書き込み手段によって画像および磁気インク文字が読み取られた後に搬送路から排出される小切手類を一時保管する小切手収納部とを備えている。単票としての小切手は、縦置き状態で搬送路を単票搬送装置によって搬送されるとともに読み取り処理等がされ、小切手収納部に送り込まれる。このような小切手処理装置は、例えば、特許文献１に開示されている。
【先行技術文献】
【特許文献】
【０００３】
【特許文献１】特開２００４−２０６３６２号公報
【発明の概要】
【発明が解決しようとする課題】
【０００４】
上記のような単票を処理するための単票処理装置では、画像および磁気インク文字の再読み取りを実施する等を目的に単票を逆方向に搬送する場合がある。単票搬送装置は、単票を収納部に送り込むとともに、必要があれば搬送中の単票を逆送りする。単票を逆方向に搬送する場合に、一旦収納部に収納された別の単票を逆方向に搬送される単票とともに再び搬送路に引き戻してしまう場合がある。このような場合、複数の単票が重なった状態で搬送経路に存在することになり、単票の搬送に不具合が発生してしまう虞がある。
【課題を解決するための手段】
【０００５】
本発明は、上述の課題の少なくとも一部を解決するためになされたものであり、以下の形態または適用例として実現することが可能である。
【０００６】
（適用例１）縦置き状態の単票を正逆方向に搬送するとともに、単票を収納部に送り込む単票搬送装置であって、円柱状の支持軸と、前記支持軸に軸支され、正逆方向に回転可能な紙送りローラーと、前記支持軸に軸支され、正方向にのみ回転可能な、外周面に軸方向に延在する送り込み用突起が形成された送り込みローラーと、前記紙送りローラーと前記送り込みローラーとの間に配置され、前記紙送りローラーが正方向に回転する場合のみに、前記紙送りローラーの駆動力を前記送り込みローラーに伝達する動力伝達部と、を有することを特徴とする単票搬送装置。
【０００７】
この構成によれば、紙送りローラーが正方向に回転させられたとき、すなわち単票を正方向に搬送するとき、動力伝達部を介して駆動力を受けて送り込みローラーも正方向に回転し、単票を収納部に送り込むことができる。対して、紙送りローラーが逆方向に回転されたとき、すなわち単票を逆方向に搬送するとき、送り込みローラーは、動力伝達部からの駆動力が遮断され停止する。送り込みローラーが停止すると、送り込み用突起が、一旦収納部に収納された単票の後端部分に係合して単票の動きを規制する。その結果、単票が搬送路に引き戻されることを防ぐことが可能となり、単票の安定した搬送を実現することができる。
【０００８】
（適用例２）前記動力伝達部は、前記紙送りローラー側に前記紙送りローラーから駆動力を受ける係合部と、前記送り込みローラー側に前記送り込みローラーへ駆動力の伝達および遮断を行うラチェット部と、前記動力伝達部を前記送り込みローラー方向へ付勢する弾性部と、を有し、前記紙送りローラーの正方向の回転時には、前記ラチェット部は、前記送り込みローラーの前記動力伝達部側のラチェット係合部に係合し駆動力を伝達し、前記紙送りローラーの逆方向の回転時には、前記ラチェット部は、前記送り込みローラーの前記動力伝達部側のラチェット係合部を乗り越え空転し駆動力を遮断することを特徴とする上記の単票搬送装置。
【０００９】
この構成によれば、動力伝達部は係合部で紙送りローラーと噛み合うことにより、紙送りローラーからの駆動力が伝達される。また、動力伝達部は弾性部により付勢され、送り込みローラーと当接するように寄せられている。紙送りローラーが正方向に回転させられたとき、ラチェット部が送り込みローラーのラチェット係合部に係合し駆動力を伝達する。紙送りローラーが逆方向に回転させられたときには、ラチェット部は、弾性部の付勢力に抗して送り込みローラーの動力伝達部側のラチェット係合部を乗り越え空転し駆動力を遮断する。従って、送り込みローラーは、紙送りローラーが正方向に回転されるときには、紙送りローラーとともに単票を搬送し、紙送りローラーが逆方向に回転されるときには、送り込みローラーは停止して送り込み用突起が、収納部に収納された単票の後端部分を係止して当該単票の逆搬送を防止する。
【００１０】
（適用例３）前記送り込み用突起は、前記紙送りローラーの外周面より外に突出して形成されていることを特徴とする上記の単票搬送装置。
【００１１】
この構成によれば、紙送りローラーが正方向に回転したときには、紙送りローラーに当接して搬送される単票の後端と、送り込みローラーの外周面に形成された送り込み用突起が確実に係合し、収納部に送り込まれた単票の後端が、送り込み用突起によって収納部で側方に寄せられる。この結果、次に所定のスペースに送り込まれる単票の進入路を確保することができるので、次に送り込まれる単票が先に送り込まれている単票の後端部分と衝突して紙詰まり状態に陥ることがない。また、紙送りローラーが逆方向に回転したときには、収納部に収納された単票の後端を確実に係止し、単票が搬送路に引き戻されることを防ぐことができる。
【図面の簡単な説明】
【００１２】
【図１】本実施の形態に係る単票搬送装置を適用した単票処理装置としての小切手処理装置を示す斜視図および平面図。
【図２】小切手処理装置の収納部を示した斜視図。
【図３】単票搬送装置の搬送ローラーを示す図。
【図４】単票の正逆方向送りを説明する図。
【発明を実施するための形態】
【００１３】
以下、本実施形態に係る単票搬送装置について図面を参照して説明する。なお、以下の説明で参照する図面では、説明および図示の便宜上、部材ないし部分の縦横の縮尺を実際のものとは異なるように表す場合がある。
【００１４】
（単票処理装置としての小切手処理装置の全体構成について）
まず、単票処理装置としての小切手処理装置の全体構成について図１を参照して説明する。図１は本実施の形態に係る単票搬送装置を適用した単票処理装置としての小切手処理装置を示す外観図である。詳しくは、図１（ａ）は、小切手処理装置の外観斜視図であり、図１（ｂ）は、小切手処理装置の平面図である。
【００１５】
図１に示すように、小切手処理装置１０は、装置本体側の本体ケース１２と、本体ケース１２の先端部に位置する垂直軸１４を中心として開閉可能な開閉カバー１８と、垂直軸１６を中心として開閉可能な開閉カバー２０とを備えている。本体ケース１２と開閉カバー１８、２０の間には、単票としての小切手２２を搬送するための搬送路２４が形成されている。
【００１６】
搬送路２４は、上から見た場合に略Ｕ字状に湾曲して延びている細幅の垂直溝によって規定されている。搬送路２４の小切手搬送方向の上流端は、垂直溝からなる小切手供給部２６に繋がっている。搬送路２４の下流端は、収納部としての小切手収納部２８に繋がっている。小切手収納部２８は、搬送路２４の下流端に繋がっている細幅の垂直溝からなる第１分岐通路３０および第２分岐通路３２と、これらの下流端に繋がっている第１小切手収納部３４および第２小切手収納部３６とを備えている。第１分岐通路３０および第２分岐通路３２の分岐部分には、搬送路２４から排出される小切手２２を第１小切手収納部３４または第２小切手収納部３６に振り分けるための切換えレバー３８が配置されている。
【００１７】
小切手２２は、図１に示すように、その表面２２ａの下端部分に、その長辺方向に磁気インク文字列２２Ａが印刷されている。また、表面２２ａには、所定の模様の背景に、金額、振出人、番号、サインなどが記載されており、裏面２２ｂには裏書き欄などが設けられている。処理される複数の小切手２２は、上下方向を揃え、表面２２ａがＵ形状の搬送路２４の外側を向くように、小切手供給部２６に挿入される。
【００１８】
搬送路２４には、図１（ｂ）において点線で示すように、小切手２２の磁気インク文字を読み取るための磁気ヘッド４０、その裏面に「処理した銀行、日付、時間」などの印刷を行う印刷機構４２、その表面画像を読み取るための表面側コンタクトイメージスキャナー４４、その裏面画像を読み取るための裏面側コンタクトイメージスキャナー４６がこの順序に配置されている。
【００１９】
小切手供給部２６から送り出された小切手２２は、搬送路２４に沿って搬送されながら、その表面２２ａに印刷されている磁気インク文字列２２Ａが読み取られ、「処理した銀行、日付、時間」などの印刷が行われる。しかる後に、その表面画像および裏面画像が読み取られた後に、小切手収納部２８の第１小切手収納部３４に振り分けられて収納される。読み取り不良、読み取り異常などが発生した小切手２２については、第２小切手収納部３６に振り分けられて収納される。
【００２０】
（収納部について）
次いで、収納部としての小切手収納部について、図２を参照して説明する。図２は、小切手処理装置の収納部を示した斜視図である。
【００２１】
図２に示すように、小切手収納部２８は、第１分岐通路３０と下流端で繋がっている第１小切手収納部３４および第２分岐通路３２と下流端で繋がっている第２小切手収納部３６を備えている。なお、第１小切手収納部３４および第２小切手収納部３６は、同様の構成を備えているので、第１小切手収納部３４を代表して説明する。第２小切手収納部３６の説明は、対応する構成要素に同一の符号を付して省略する。
【００２２】
第１小切手収納部３４は、搬送方向の前後に長い長方形をした所定深さの縦溝からなり、平行に延びている図中左右の第１側板５０、第２側板５２、前端板５４および底板５６を備えている。第２側板５２の前端側部分には前端板５４に向かうにともない第１側板５０から離れる方向に広がっている傾斜ガイド面５８が形成されている。この傾斜ガイド面５８の上流側は第１分岐通路３０の一方の内壁面６０に連続している。前端板５４の傾斜ガイド面５８側の隣には、小切手２２を第１小切手収納部３４へ送り込むための単票搬送装置９０が配置されている。単票搬送装置９０は、後述する搬送ローラー９２と押さえローラー９４とを有する。搬送ローラー９２に対峙する第１分岐通路３０の一方の内壁面６０からは、搬送ローラー９２に小切手２２を押し付けるための押さえローラー９４が突出している。第１小切手収納部３４の内部には、第２側板５２から第１側板５０に向けて後方に所定の角度で傾斜した２枚の垂直押さえ板６６，６８が配置されている。
【００２３】
搬送ローラー９２および押さえローラー９４によって前端側から第１小切手収納部３４に送り込まれた小切手２２は、傾斜ガイド面５８によってその先端部分が第１側板５０へ向かうように案内されながら第１小切手収納部３４の内部へ進入する。また、送り込まれた小切手２２は、垂直押さえ板６６，６８によって第１側板５０の側に押し付けられて、幅方向に積層された状態で収納される。
【００２４】
なお、本例の小切手収納部２８では、第１小切手収納部３４および第２小切手収納部３６の後端部分が、後方に引き出し可能な引き出し部７０によって規定されている。この引き出し部７０を図１に示す状態から図２中矢印Ｅ方向に引き出すと、第１小切手収納部３４および第２小切手収納部３６が矢印Ｅ方向に延びる。これにより、長い寸法の小切手２２を受け入れて収納することができる。
【００２５】
（単票搬送装置について）
ここで、本発明の実施形態に係る単票搬送装置について、図３を参照して説明する。図３は、単票搬送装置の搬送ローラーを示す図であり、図３（ａ）は搬送ローラーの側面図、図３（ｂ）は搬送ローラーの分解斜視図である。
【００２６】
単票搬送装置９０は、前述のように搬送ローラー９２と押さえローラー９４とを有する。図３（ａ），（ｂ）に示すように、搬送ローラー９２は、円柱状の支持軸７２と、紙送りローラー７４と、動力伝達部７６と、送り込みローラー７８とを備える。紙送りローラー７４は、外周部をゴム等で被覆された円柱状のローラーであり支持軸７２に軸支される。紙送りローラー７４は、図示しない紙送りモーターから駆動力を得て正逆双方向に回転可能となっている。
【００２７】
動力伝達部７６は、紙送りローラー７４と後述する送り込みローラー７８との間に配置され、紙送りローラー７４から駆動力を送り込みローラー７８に選択的に伝達する機能を有する。動力伝達部７６は、係合部８４と、弾性部８６と、ラチェット部８８とを有する。係合部８４は、プラスチック等の材料が好適に適用され円柱形状を呈し、上面に所謂ラチェット（ラチェット部８８）が形成されている。係合部８４は、支持軸７２に回転自在に軸支され上述の紙送りローラー７４とともに回転するとともに、軸方向にスライド可能となっている。係合部８４の内部には、例えば圧縮コイルバネに代表される弾性部８６が組み込まれている。弾性部８６は、係合部８４を送り込みローラー７８に向かって付勢している。
【００２８】
送り込みローラー７８は、プラスチック等の材料が好適に適用され円柱形状を呈し、外周面には軸方向に延在するとともに法線方向に突出する複数の送り込み用突起８０が形成されている。送り込みローラー７８は、支持軸７２に回転自在に軸支されるとともに、内部に組み込まれたワンウェイクラッチ８２が備えられており正方向にのみ回転可能である。送り込みローラー７８の下面には、上述のラチェット部８８と係合する図示しない突起を有している。
【００２９】
紙送りローラー７４が正方向に回転させられたとき、係合部８４に設けられたラチェット部８８は、送り込みローラー７８と係合し、紙送りローラー７４の駆動力が送り込みローラー７８に伝達される。紙送りローラー７４が逆方向に回転させられたとき、送り込みローラー７８はワンウェイクラッチ８２により停止し、係合部８４が軸方向にスライドすることによりラチェット部８８の係合が外れて、紙送りローラー７４の駆動力は遮断される。すなわち、搬送ローラー９２は、正方向の回転においては紙送りローラー７４と送り込みローラー７８とはともに正方向に回転するが、逆方向の回転においては送り込みローラー７８は停止し紙送りローラー７４のみが逆方向に回転する。
【００３０】
押さえローラー９４は、外周部をゴム等で被覆された回転自在の円柱状のローラーであり、紙送りローラー７４の外周に所定の圧力で圧接している。押さえローラー９４と紙送りローラー７４とは小切手２２を挟持して、紙送りローラー７４の回転にともない小切手２２を正逆双方向に搬送する。
【００３１】
（収納部での小切手の正逆送りについて）
ここで、収納部での小切手の送り動作について図４を参照して説明する。図４は、単票の正逆方向送りを説明する図であり、図４（ａ）は、正方向送り時の収納部を示した平面図、図４（ｂ）は、逆方向送り時の収納部を示した平面図である。
【００３２】
上述の小切手処理装置１０において、表面画像および裏面画像が読み取られた小切手２２は、単票搬送装置９０によって正方向（矢印Ａ方向）に搬送され、小切手収納部２８の第１小切手収納部３４に振り分けられて収納される。このとき、小切手２２は、単票搬送装置９０の紙送りローラー７４と押さえローラー９４とに挟持され紙送りローラー７４の正方向（矢印Ｃ方向）の回転にともない正方向Ａに搬送される。送り込みローラー７８は、紙送りローラー７４の回転と同期して回転し小切手２２の正方向Ａの搬送を補助する。
【００３３】
図４（ａ）に示すように、小切手２２は搬送され小切手２２の後端が単票搬送装置９０に到達したとき、送り込みローラー７８の送り込み用突起８０と搬送される小切手２２の後端２２ｃとが係合する。送り込み用突起８０は、小切手２２の後端２２ｃを図４（ａ）中矢印Ｇ方向に蹴飛ばし、小切手２２を第１小切手収納部３４の第１側板５０側へ移動させる。その結果、次に第１小切手収納部３４に送り込まれる小切手２２の進入路を確保することができる。次に送り込まれる小切手２２は、同様に第１小切手収納部３４の第１側板５０側へ移動させられ積層された状態で収容される。
【００３４】
また、上述の小切手処理装置１０において、一旦、表面画像および裏面画像の読み取り作業を実施したが読み取り不良や読み取り異常が発生した場合は、その程度によって第２小切手収納部３６に振り分けて収納するか、再度読み取り作業を実施するか判断する。第２小切手収納部３６に収納された読み取り不良や読み取り異常の小切手２２は、ユーザーがまとめて取り出し目視でチェックする。その後、不具合を修正して再度小切手処理装置１０で処理作業を実施する。この読み取り不良や読み取り異常は、小切手２２が表裏もしくは上下反対に挿入されたか、著しく汚れた場合などが相当する。
【００３５】
上述の小切手処理装置１０において、一旦読み取り作業を実施したが一部に読み取り不良や読み取り異常が発生した場合は、単票搬送装置９０によって小切手を逆送り（矢印Ｂ方向）して再度読み取り作業を実施する。
図４（ｂ）に示すように、紙送りローラー７４が逆方向（矢印Ｄ方向）に回転させるとき、上述のように送り込みローラー７８はワンウェイクラッチ８２により停止し、ラチェット部８８の係合が外れて、紙送りローラー７４の駆動力は遮断される。そのため、送り込みローラー７８は停止状態を維持することができる。
【００３６】
読み取り不良が発生した小切手２２は、紙送りローラー７４と押さえローラー９４とに挟持された状態を保ち、紙送りローラー７４の逆方向（矢印Ｄ方向）の回転にともない逆方向Ｂに搬送され、再度読み取り作業が実施される。このとき、既に小切手収納部２８に収納されている小切手２２は、読み取り不良が発生した小切手２２とともに逆送りされる可能性がある。ところが、送り込みローラー７８の送り込み用突起８０が小切手収納部２８に収納された小切手２２の後端２２ｃ部分を係止する。その結果、逆送りされる小切手２２の動きに伴って小切手収納部２８に収納された小切手２２が搬送路２４に引き戻されることを防ぐことができる。
【００３７】
以下、本実施形態の効果を記載する。
（１）上述の小切手処理装置１０の単票搬送装置９０は、正逆双方向に回転可能な紙送りローラー７４と送り込み用突起８０を備え正方向のみに回転可能な送り込みローラー７８とを有する。そのため、単票（小切手２２）を正方向に搬送する場合は、紙送りローラー７４および送り込みローラー７８で単票２２を搬送することができる。同時に、送り込みローラー７８の外周面に設けられた送り込み用突起８０が単票２２の後端２２ｃを蹴飛ばし小切手収納部２８内の収納領域に収納することができる。その結果、次に小切手収納部２８に送り込まれる単票２２の進入路を確保することができる。
【００３８】
（２）単票（小切手２２）を逆方向に搬送する場合は、紙送りローラー７４のみ逆方向に回転し、送り込みローラー７８は回転せず停止状態を維持している。また、送り込みローラー７８は外周面に送り込み用突起８０を備えている。そのため、搬送対象の単票２２を逆方向に搬送できるとともに、既に小切手収納部２８に収納されている単票２２の後端２２ｃを送り込み用突起８０で係止することができる。その結果、逆送りされる単票２２の動きに伴って小切手収納部２８に収納された単票２２が搬送路２４に引き戻されることを防ぐことができる。従って、単票２２の安定した搬送を実現することができる。
【００３９】
以上、本発明の実施例について説明したが、上記実施例に対しては、本発明の趣旨から逸脱しない範囲で様々な変形を加えることができる。例えば上記実施例以外の変形例は、以下の通りである。
【００４０】
（第１変形例）上記実施例では、搬送路２４の終端、すなわち小切手収納部２８の前に、引き戻し防止ストッパーとして、正方向にのみ回転可能な送り込みローラー７８を有する単票搬送装置９０を採用した場合について説明したがこれに限定しない。小切手供給部２６に配置した場合には、一旦、搬送路２４に送り出した紙が小切手供給部２６に戻るのを防ぎ、小切手供給部２６に待機している単票２２と衝突するのを回避できる。
【符号の説明】
【００４１】
１０…単票処理装置としての小切手処理装置、１２…本体ケース、１４，１６…垂直軸、１８，２０…開閉カバー、２２…単票としての小切手、２４…搬送路、２６…小切手供給部、２８…収納部としての小切手収納部、３０…第１分岐通路、３２…第２分岐通路、３４…第１小切手収納部、３６…第２小切手収納部、３８…切換えレバー、４０…磁気ヘッド、４２…印刷機構、４４…表面側コンタクトイメージスキャナー、４６…裏面側コンタクトイメージスキャナー、５０…第１側板、５２…第２側板、５４…前端板、５６…底板、５８…傾斜ガイド面、６０…内壁面、６６，６８…垂直押さえ板、７０…引き出し部、７２…支持軸、７４…紙送りローラー、７６…動力伝達部、７８…送り込みローラー、８０…送り込み用突起、８２…ワンウェイクラッチ、８４…係合部、８６…弾性部、８８…ラチェット部、９０…単票搬送装置、９２…搬送ローラー、９４…押さえローラー。
【図１】
2014031236.tif 000003
【図２】
2014031236.tif 000004
【図３】
2014031236.tif 000005
【図４】
2014031236.tif 000006